(57)【要約】      （修正有）【課題】カゴ本体に組み込まれたスライドプレートを移動することにより、開口部を通して撒き餌及びつき餌を海中または水中に放出することができるスライド式撒き餌カゴ装置を提供する。【解決手段】スライドプレート３０を確実に動くようにするために、半円形状に曲げたスライドプレート３０の両端を折り込み、この折り込んだ箇所を、カゴ本体２０の側面の二箇所の縦溝にはめ込むことによって、スライドプレート３０を上下に移動させる。カゴ本体２０の開口部２３とスライドプレート開口部３１が重なることによって、内部の撒き餌さ等を放出させる。【選択図】図１
0003190473.tif 000002
【実用新案登録請求の範囲】
【請求項１】
カゴ本体と底ふたを一体化させた、当該カゴ本体の側面に湾曲したスライドプレートを組み込み、当該カゴ側壁の縦溝に当該スライドプレートが上下に動くことにより、当該カゴ側面の開口部を開閉させるところを特徴とするスライド式撒き餌カゴ装置。
【請求項２】
一体化させた当該カゴ本体の側面に開口を設けた構造としたところを特徴とする請求項１記載のスライド式撒き餌カゴ装置。
【請求項３】
当該カゴ本体の側面に組み込まれたスライドプレートに開口を設けた構造としたところを特徴とする請求項１記載のスライド式撒き餌カゴ装置。
【考案の詳細な説明】
【技術分野】
【０００１】  この考案は、スライドプレートを移動することにより、開口を通して撒き餌およびつき餌を海中または水中に放出するスライド式撒き餌カゴ装置に関し、特に開口を確実に開閉させるスライドプレートの固定、解除する技術に関する。
【背景技術】
【０００２】  カゴ投げ釣りは、狙いとする棚（水深）に確実に多くの撒き餌を放出させ、つき餌と同調させることで釣果が増すといえる。このために、一般的に汎用されているカゴの形状は先端部を鋭角の錘とし、錘の中軸にステンレスの棒を固定させ、その軸に上下に動くカゴを上部と中部と下部に分離させて組み込んである。一方、底ふたが反転するタイプのカゴは、カゴ本体が海面に着水時の衝撃を底ふたが受けて、カゴ本体と底ふたに隙間を設けることでロック状態を解除させている。これらのカゴは海面に着水時の衝撃により、カゴの上部と下部とが瞬時に開き撒き餌がカゴから放出してしまうことがあり、意図した底ふたの動きを阻害することになる。このため、カゴ内部に充填された撒き餌が確実に狙いとする棚に放出されていない。このような形状のカゴは比較的浅い棚であれば然程問題はないが、棚が深くなるとその棚に達する時点までに、極端な場合にはすべて撒き餌が放出してしまい、深場のつりには不向きといえる。
【考案の概要】
【考案が解決しようとする課題】
【０００３】  この考案は、カゴの側面にスライドプレートを組み込み、飛行中及び、海中を下降中にはスライドプレートが上部の位置にあり、下降が停止するとスライドプレートの自重により下部の位置に作用させることで、確実に撒き餌を放出させることができる技術を提供することを目的とする。
【課題を解決するための手段】
【０００４】  この考案の基本的な考え方は、カゴが棚に停止するまでの第１段階では、カゴの開口部が確実に閉じた状態を維持した上、カゴが棚に達した時点以降の第２段階には、カゴの開口部が確実に開くことができる状態にすることにある。【０００５】  この考案を適用するスライド式撒き餌カゴ装置は、カゴ（かご本体）が撒き餌およびつき餌を放出する開口をもち、その開口をスライドプレートが開閉可能にふさいでいる。【０００６】  この考案では、カゴの側壁に２本の縦溝があり、その溝に湾曲したスライドプレートが組み込んだ構造とし、このスライドプレートがカゴの側面を上下に動くことで、カゴの開口部とスライドプレートの開口部が重なり、内部の撒き餌を放出させる。【０００７】    この考案のスライドプレートの上部は下部と比べて、若干の反りが加えてあり、飛行中には空気抵抗により、また海中を下降中には海水の抵抗により、常に上部に位置することで、撒き餌をカゴ内部に確保させ、さらに、下降が停止すると、スライドプレートの自重により下がることでカゴの開口部とスライドプレートの開口部が重なることによって確実かつ安定した撒き餌の放出作用を行なっている。【０００８】  カゴの大半をプラスチック製とし、内部が空洞の円柱に上下に円錐状の部位を固定させ一体化した構造である。上部の円錐状の部位中央に固定されたセンターフックが天秤と連結するための連結部としている。また、下部の円錐状の部位には鉛を溶かし込み錘の機能を持たしている。【０００９】  屋根上部には数個の穴とカゴ本体の円柱部側壁に二本の縦溝がある。また、円柱の下部に長方形の開口部を施してある。また、カゴ本体の側面を囲むように湾曲させたスライドプレートが組み込んである。このスライドプレートは正面から見ると長方形で上の部分が半円状としている。この半円状の部分は若干の反りが施してある。スライドプレート中央にもカゴ本体の下部の開口部と同じ大きさの開口部を施してある。また、スライドプレートの両端は直角に内側に折り曲げてあり、この曲げた部分が二本の縦溝にはめ込まれていることにより、上下にスライドすることを可能にさせている。【００１０】  スライドプレートが下の位置にあるときは、カゴ本体下部の開口部とスライドプレートの開口部が重なるように、下部の縦溝の切れ目の位置にスライドプレートの直角に折り曲げた下の箇所でストップさせている。このようにして重なった開口部が撒き餌とつき餌を入れるための入口と撒き餌等を放出するための出口を兼ねている。【００１１】  スライドプレートが上の位置、すなわち、飛行中および海中を下降中の時には、スライドプレートの反り部に空気抵抗または海水の抵抗が加わり、スライドプレートが上がり、上部の縦溝の切れ目の位置にスライドプレートの直角に折り曲げた上の箇所でストップさせている。【００１２】  スライドプレートが上部にあるときは、カゴ本体下部の開口部の位置にはスライドプレートによって開口部が閉じられることになり、内部の撒き餌およびつき餌は外部に出ることを阻止している。なお、スライドプレートの開口部の下には数個の入水口が開けられている。【００１３】  この考案のスライド式撒き餌カゴ装置はカゴが棚に停止した状態、すなわ��、道糸に通された浮き部材が浮き止め糸によって固定されると、浮き部材の浮力によりカゴの下降が止まると、スライドプレートの自重により下がり、カゴ本体下部の開口部とスライドプレートの開口部が重なるときに、開口部が閉じた状態からの解除が可能となり、狙いとする棚に撒き餌等を放出することができる。また、残量した撒き餌は釣竿をシャクルことで道糸が引かれ、カゴ全体が上に引き上げられ、屋根部の穴から海水が入り、内部の撒き餌と海水が共に開口部から押し出される。
【実施例】
【００１４】  図１は、スライド式撒き餌カゴ装置の実施例を示す正面図である。スライド式撒き餌カゴ装置４０００は、大半がプラスチックであり、撒き餌等を入れるための内部空間を区画するカゴ本体２０と、そのカゴ本体２０に組み込まれたスライドプレート部材３０を備える。カゴ本体２０の上方に円錐形状の屋根部２１がある。屋根部２１には穴が開けてあり、中央に固定されたセンターフック部材１０がある。センターフック部材１０は天秤を連結するための連結部である。また、カゴ本体２０のカゴ下部２４の内部に鉛を溶かし込み錘の機能を持たせ重心を先端部になるようにしている。【００１５】  一体化したカゴ本体２０に長方形のカゴ本体開口部２３がある。このカゴ本体開口部２３を被うものが、カゴ本体２０に組み込まれたスライドプレート部材３０である。スライドプレート部材３０がカゴ本体開口部２３を閉じることによって、撒き餌等をカゴ本体２０の内部に閉じ込めている。【００１６】  スライドプレート部材３０は０．５ｍｍのステンレス鋼鈑の長方形で上の部分が半円状としている。このスライドプレート部材３０はカゴ本体２０の側面を囲むように湾曲させ、両端を直角に折り曲げてある、この折り曲げた箇所がカゴ本体２０の縦溝２５にかみ合わされている。また、スライドプレート部材３０の中央付近にはカゴ本体開口部２３と同じ長方形のスライドプレート開口部３１が開けられている。さらに、スライドプレート部材３０の下部には直径３ミリの数個の入水口部３５が開けられている。【００１７】  スライドプレート部材３０の半円状には若干の反り部３４が施されている。この反り部３４に空気抵抗または、海水の流れが抵抗となってスライドプレート部材３０がカゴ本体２０の縦溝２５に沿って上に移動させ、それぞれの抵抗が無くなるとスライドプレート部材３０の自重により下に移動することを可能にしている。【００１８】  スライド式撒き餌カゴ装置４０００が投げ込まれるとスライドプレート部材３０の反り部３４に空気抵抗が加わり、スライドプレート部材３０はカゴ本体２０の縦溝２５に沿って上に移動する。これにより、カゴ本体開口部２３はスライドプレート部材３０によって閉じられ、カゴ本体２０の内部の撒き餌等は閉じ込められる。【００１９】  海中に突入したカゴ本体２０はその勢いにより、スライドプレート部材３０が動くことはない。やがて、その勢いが弱まると、カゴ本体２０は海中を下降する。そして、今度はスライドプレート部材３０の反り部３４に海水が抵抗となり、スライドプレート部材３０はカゴ本体２０の上の位置を保った状態で下降する。従って、カゴ本体開口部２３はスライドプレート部材３０によって閉じられた状態となり、カゴ本体２０の内部の撒き餌等は海中に放出しない。【００２０】  カゴ本体２０の下降が止まると、スライドプレート部材３０の反り部３４に受けていた海水の抵抗が無くなり、スライドプレート３０は自重によって下がり、カゴ本体開口部２３はスライドプレート部材３０によって開放されて、内部の撒き餌等が海中に放出する。また、釣竿をシャクルことで道糸が引かれ、カゴ全体が上に引き上げられ、屋根部２１の穴から海水が入り、内部の撒き餌と海水が共に開口部から押し出される���【００２１】  従って、カゴ本体が投げ込まれるときの遠心力により内部の撒き餌およびつき餌が進行方向に押し付けられても確実に開口部が閉じられていので外に出ることがない。同時に、海面に着水するときのカゴ本体の入水角度およびカゴの向き、衝撃力の強弱に関わらず、受ける条件が異なった状態に於いても安定した、カゴ本体とスライドプレートが一体化して開口部が閉じた状態が保たれので、狙いとする浅場から深場まで広範囲に撒き餌等を放出することが可能となる。【００２２】  図２Ａ〜２Ｃは、図１のスライド式撒き餌カゴ装置４０００の作動の順次を示す側面図である。図２Ａは撒き餌とつき餌をカゴ本体２０の内部に入れ、カゴ本体の開口部２３とスライドプレート３０の開口部３１が重なり開いた状態を示している。すなわち、側壁２２に組み込まれたスライドプレート３０が自重によって下がり、ストッパー３３の位置で止まっている。このような状態でスライド式撒き餌カゴ装置４０００は海に向かって投げ込まれる。また、飛行中は図２ＢのＡＢ方向からの空気抵抗をスライドプレート３０の反り部３４に受けることになる。【００２３】  図２Ｂは、スライド式撒き餌カゴ装置４０００が飛行中また海面に着水した後の、海中を下降中の状態を示している。飛行中はＡＢ方向から空気抵抗をスライドプレート３０の反り部３４に受けるので、スライドプレート３０が上昇してストッパー部３２によって止まる。これにより、開口部が完全に閉じた状態となり撒き餌等が空中に放出することが避けられる。また、海面に着水した後の下降中には今度はＡＢ方向からの海水の抵抗がスライドプレート３０の反り部３４に受け抵抗となり、飛行中と同じく、開口部が完全に閉じた状態を保つ。また、下降中はスライドプレート３０の入水工部３５から海水がカゴ内部に滲入し、残留している空気と海水が屋根部２１の穴から流れ出ることにより、安定した下降が作用する。【００２４】  図２Ｃは、スライド式撒き餌カゴ装置４０００が狙いとする水深に達した状態を示している。道糸に通された浮き部材が浮き止め糸によって固定されると、浮き部材の浮力により、カゴの下降が止まると、図２ＢのＡＢ方向からの抵抗が無くなり、側壁２２に組み込まれたスライドプレート３０が自重によって下がり、ストッパー３３の位置まで下降して止まると開口部が完全に開き内部の撒き餌およびつき餌が海中に流れ出す。また、釣竿をシャクルことで道糸が引かれ、カゴ全体が上に引き上げられ、屋根部２１の穴から海水が入り、内部の撒き餌と海水が共に開口部から押し出される。
【図面の簡単な説明】
【００２５】
【図１】この考案の実施例を示す正面図である。
【図２Ａ】スライドプレートによって開口部が開いた状態を示す側面図である。
【図２Ｂ】飛行中及び、着水した後の下降中の状態を示す側面図である。
【図２Ｃ】狙いの棚に達した状態を示す側面図である。
【符号の説明】
【００２６】  ４０００  スライド式撒き餌カゴ装置
１０      センターフック
２０      カゴ本体
２１      屋根部
２２      側壁部
２３      カゴ本体開口部
２４      カゴ下部
２５      縦溝
３０      スライドプレート
３１      スライドプレート開口部
３２      上部スライドプレートストッパー部
３３      下部スライドプレートストッパー部
３４      反り部
３５      入水工部
【図１】
0003190473.tif 000003
【図２Ａ】
0003190473.tif 000004
【図２Ｂ】
0003190473.tif 000005
【図２Ｃ】
0003190473.tif 000006